(57)【要約】【課題】使用者を施療する空気袋に空気を給排気する給排気装置を用いて前記使用者にマイナスイオンを波及させることができるマット式マッサージ機を得ることにある。【解決手段】膨縮してマット本体２上の使用者を施療する空気袋３ａ〜３ｅをマット本体２に設ける。給排気装置５は、空気袋３ａ〜３ｅに空気を給排気するとともにマイナスイオンを発生させるマイナスイオン発生装置４を流通する気流を形成する。給排気装置５により形成される気流によってマイナスイオンがマット本体２上の使用者に向かって拡散するようにマイナスイオン発生装置４をマット本体２に設ける。【選択図】    図１
2004215759.tif 000002
【特許請求の範囲】
【請求項１】
マット本体と、このマット本体に設けられ膨縮して前記マット本体上の使用者を施療する空気袋と、マイナスイオンを発生させるマイナスイオン発生装置と、前記空気袋に空気を給排気するとともに前記マイナスイオン発生装置を流通する気流を形成する給排気装置と、を具備しており、
前記マイナスイオン発生装置が前記気流によって前記マイナスイオンを前記使用者に向かって拡散させるように前記マット本体に設けられているマット式マッサージ機。
【請求項２】
前記給排気装置の排気が前記マイナスイオン発生装置に流通される請求項１に記載のマット式マッサージ機。
【請求項３】
前記給排気装置を駆動させることにより形成される気流によって前記マイナスイオンを前記使用者に向かって拡散させる第１状態と、前記マイナスイオン発生装置に気流を流通させることなく前記マイナスイオンを発生させる第２状態との切換えを行う制御部が設けられている請求項１又は２に記載のマット式マッサージ機。
【請求項４】
前記制御部が、前記第１状態を設定時間継続させた後に前記第２状態に切換えるタイマーを有している請求項３に記載のマット式マッサージ機。
【発明の詳細な説明】
【０００１】
【発明の属する技術分野】
本発明は、マイナスイオンを発生させるマイナスイオン発生装置を備えたマット式マッサージ機に関する。
【０００２】
【従来の技術】
マット式マッサージ機としては、従来、第１支持部材、第２支持部材、及び第３支持部材を有する人体支持部と、空気袋と、給排気装置と、マイナスイオンを発生させる電位用電床帯とを備えたものが知られている。第１支持部材は、空気袋の膨張に伴う弾性変形を抑制可能な硬さに形成されている。第１支持部材よりも柔らかく薄肉のクッション材料性の第２支持部材は第１支持部材の上側に設けられている。第３支持部材は第１支持部材の下側に設けられている。空気袋は第２支持部材の上側に設けられている。
【０００３】
このマッサージ機は、給排気装置により空気袋を膨縮させることで、使用者の施療部位を圧迫・弛緩させてマッサージを行う。このとき、空気の膨張に伴う圧迫力が第２支持部材によって吸収されることなく直接的に人体に作用する。しかも、クッション性能は第２及び第３の支持部材により確保されるので、マッサージ性能及びクッション性能が両立される。また、電位用電床帯を好みに応じて使用することで、マイナスイオンを人体の足部に作用させ得るといった効果が得られる（例えば、特許文献１参照。）。
【０００４】
また、マットとしては、従来、マイナスイオン発生装置と、気力源と、エアーマット本体とを備えたエアーマット装置が知られている。エアーマット本体は、所定間隔隔てて厚み方向に弾性を有するように圧縮バネを複数列配置してなり、表面に複数の小孔を有している。このマイナスイオン発生装置は、エアーマット本体の小孔から気力源により送出されたマイナスイオンが吐出するように構成されている（例えば、特許文献２参照。）。
【０００５】
【特許文献１】
特開２００２−６５７８３号公報（段落００２５〜段落００２９，図２）
【０００６】
【特許文献２】
特開２００１−１９７９６５号公報（段落０００９〜段落００２５，図１及び図２）
【０００７】
【発明が解決しようとする課題】
しかし、マイナスイオンはマイナスイオン発生部位である電位用電床帯に留まって広範囲に広がり難いという性質がある。そのため、特許文献１に記載の技術では、電位用電床帯で発生させたマイナスイオンを人体に対し広範囲に波及させることが難しい。
【０００８】
一方、特許文献２に記載の技術では、マイナスイオンをエアーマット本体の表面から吐出させることができるが、膨縮してマット本体上の使用者を施療する空気袋を備えたマット式マッサージ機に適用する場合には、マイナスイオンを送出する気力源と空気袋に空気を給排気する給排気装置とを具備させる必要があり、製造コストが嵩む。
【０００９】
本発明が解決しようとする課題は、使用者を施療する空気袋に空気を給排気する給排気装置を用いて前記使用者にマイナスイオンを波及させることができるマット式マッサージ機を得ることにある。
【００１０】
【課題を解決するための手段】
前記課題を解決するために、請求項１に係る発明のマット式マッサージ機は、膨縮してマット本体上の使用者を施療する空気袋をマット本体に設けるとともに、この空気袋に空気を給排気するとともにマイナスイオンを発生させるマイナスイオン発生装置を流通する気流を形成する給排気装置を設け、前記気流によって前記マイナスイオンが前記使用者に向かって拡散するようにマイナスイオン発生装置をマット本体に設けている。
【００１１】
この発明のマット式マッサージ機によれば、使用者を施療する空気袋に空気を給排気する給排気装置により形成される気流によって、マイナスイオン発生装置で発生したマイナスイオンを拡散しつつマット本体上の使用者に向けて波及させることができる。
【００１２】
【発明の実施の形態】
以下、図１〜図６を参照して本発明の一実施形態を説明する。
【００１３】
本実施形態に係るマット式マッサージ機１は、図１に示すように、マット本体２、空気袋３ａ〜３ｅ、マイナスイオン発生装置４、給排気装置５、及び操作部７等を備えている。
【００１４】
マット本体２は、図示しないが、外カバー、中袋、及び、中芯部等を備えている。外カバー及び中袋は、例えば木綿や化学繊維等により夫々形成されている。中芯部は、例えば低反発発泡ウレタン等の弾性を有する素材で形成されている。
【００１５】
マット本体２は、中芯部を中袋の内部に収容するとともに、中芯部を収容した中袋を外カバーの内部に収容することにより形成されている。なお、外カバーは、その一端部に図示しないファスナー等を取付けることで、中芯部を収容した中袋を挿脱自在に収容できるようにしてもよい。また、外カバーは省略してもよい。
【００１６】
膨縮してマット本体２上の使用者を施療する空気袋３ａ〜３ｅは、例えば中芯部の上面に取付けられることでマット本体２に設けられている。このマッサージ機１では、マット本体２上に横になる使用者の各部位、例えば、肩部、背中部、腰部、尻部、下腿部に対応するマッサージ領域に空気袋３ａ〜３ｅが配置されている。なお、空気袋の数及び配置場所は任意である。各空気袋３ａ〜３ｅは、後述するように、送気管２５、電磁弁２１ａ〜２１ｅ、及び送気管２４を介してエアーコンプレッサ２０と連通されている。各空気袋３ａ〜３ｅは、エアーコンプレッサ２０の駆動及び電磁弁２１ａ〜２１ｅの開閉によって膨縮する。
【００１７】
マイナスイオン発生装置４としては、例えば、電極間に高電圧を印加してコロナ放電させることで空気をマイナスイオン化させるプラズマ放電方式のものを用いることができる。このマイナスイオン発生装置４は、図１及び図２に示すように、マイナスイオンが放出される放出開口１６を有する蓋部１４をマット本体２の上面から突出させた状態で、放出開口１６を例えばマット本体２に横になる使用者の頭部側に向けてマット本体２の内部に収容されている。
【００１８】
このマイナスイオン発生装置４は、図３〜図５に示すように、ユニット化されたマイナスイオン発生部１０、基盤部１１、針１２、ケーシング１３、及び蓋部１４等を備えている。マイナスイオン発生部１０はケーシング１３内に収容されている。ケーシング１３の上面を蓋部１４で覆うことで形成される上部空間１５内には基盤部１１及び針１２が設けられている。マイナスイオン発生部１０は、基盤部１１によって図示しない電極間に高電圧を印加することで針１２の先端にマイナスイオンを発生させる。蓋部１４には、この蓋部１４の外部（大気中）と上部空間１５とを連通する放出開口１６が設けられている。放出開口１６は、例えば、横一列、詳しくはマット本体２の表面に沿って並んだ多数の孔で形成されている。ケーシング１３内には、放出開口１６とは反対側に上部空間１５と連通するエアー導入室１７が形成されている。
【００１９】
エアー導入室１７をなす側壁にはエアー導入管１８が貫通している。このエアー導入管１８のケーシング１３の外に突出する一端は送気管２９を介して給排気装置５と連通されており、他端はエアー導入室１７内に突出してこのエアー導入室１７と連通されている。
【００２０】
給排気装置５は、各空気袋３ａ〜３ｅに空気を給排気するとともにマイナスイオン発生装置４を流通する気流を形成するものである。すなわち、この給排気装置５は、空気袋３ａ〜３ｅに空気を給排気する給排気装置と、マイナスイオン発生装置４を流通する気流を形成する給気装置とを兼ねている。この給排気装置５は、例えば図６に示すように、エアーコンプレッサ２０、電磁弁２１ａ〜２１ｅ、排気用電磁弁２２、及びタイマー２３を有する制御部６等を備えており、ユニット化されて、例えば、脚部側に位置してマット本体２内に収容されている。
【００２１】
圧縮空気を生成するエアーコンプレッサ２０には、例えば電磁駆動されるダイアフラム式のものを採用することができる。このエアーコンプレッサ２０は、制御部６と接続しており、制御部６により運転が制御される。エアーコンプレッサ２０の吐出し口は送気管２４を介して電磁弁２１ａ〜２１ｅの連通口と夫々連通している。
【００２２】
電磁弁２１ａ〜２１ｅは夫々、送気管２４を介してエアーコンプレッサ２０の吐出し口と連通する連通口、送気管２５を介して各空気袋３ａ〜３ｅと連通する給気口、及び排気管２６と連通する排気口を有しており、電磁石の電磁力により、連通口と給気口とを連通させるオン状態と、給気口と排気口とを連通させるオフ状態とを切換えることができるようになっている。
【００２３】
排気用電磁弁２２は、排気管２６を合流させた合流排気管２７と連通する連通口、送気管２９を介してマイナスイオン発生装置４のエアー導入管１８の一端と連通する第１放出口、マッサージ機１の外部に空気を放出する放出管２８と連通する第２放出口を有しており、電磁石の電磁力により、連通口と第１放出口とを連通させるオン状態と、連通口と第２放出口とを連通させるオフ状態とを切換えることができるようになっている。
【００２４】
マイクロコンピュータからなる制御部６は、上述したように、エアーコンプレッサ２０、マイナスイオン発生装置４、電磁弁２１ａ〜２１ｅ、及び排気用電磁弁２２と夫々接続している。後述する操作部７が有線である場合は、この操作部７とも接続している、制御部６は、操作部７に入力されたマッサージ情報に従って、エアーコンプレッサ２０の駆動、マイナスイオン発生装置４の駆動、電磁弁２１ａ〜２１ｅのオン・オフ、及び排気用電磁弁２２のオン・オフ等を夫々制御する。制御部６は、マッサージ情報等を記憶する記憶部（図示せず）を有していてもよい。
【００２５】
操作部７は、制御部６に各種動作を指示するものである。操作部７は、有線で制御部６と接続されていても、例えば赤外線等を用いて無線で制御部６に動作を指示できるようにしてもよい。
【００２６】
この実施形態では、制御部６が排気用電磁弁２２のオン・オフ等を制御することにより、給排気装置５を駆動させることにより形成される気流によってマイナスイオンを使用者に向かって拡散させる第１状態と、マイナスイオン発生装置４に気流を流通させることなくマイナスイオンを発生させる第２状態とに切換えることができる。
【００２７】
また、排気用電磁弁２２をオンにして第１状態とすることで、給排気装置５によって形成される気流、具体的には、給排気装置５から排出されて合流排気管２７によって運ばれた排気が、図３〜図５に矢印Ｘで示すように流通する。すなわち、前記排気は、送気管２９及びエアー導入管１８を介してマイナスイオン発生装置４のエアー導入室１７に流通する。エアー導入室１７に流通した排気は、エアー導入室１７の壁１７ａに当たって吹き上がり、上部空間１５内に流れ込む。上部空間１５内に流れ込んだ排気は、上部空間１５をエアー導入室１７側から放出開口１６側に流れ、放出開口１６から外部に吐出される。この気流により、針１２の先端付近に漂っているマイナスイオンは放出開口１６から外部に吐出されて、前記気流の拡散とともに前記使用者の頭部付近を含んで広範囲に吹き当てられる。
【００２８】
ところで、制御部６が有するタイマー２３は、前記第１状態を設定時間継続させた後に前記第２状態に切換えるためのものであり、設定時間後に切換え信号を発信するように形成されている。設定時間はこのタイマー２３により任意に決定できる。この実施形態では、タイマー２３により設定時間後に発信された切換え信号によって制御部６が排気用電磁弁２２をオンからオフにすることで、前記第１状態を任意に決定した設定時間継続させた後に前記第２状態に切換えることができるようになっている。
【００２９】
前記構成のマッサージ機１１では、以下のようにして使用する。まず、電源コード４２のプラグを商用電源に挿入し、給排気装置５、マイナスイオン発生装置４、制御部６、及び操作部７等に電力を供給する。使用者はマット本体２上に横になり、操作部７を操作して給排気装置５及びマイナスイオン発生装置４を駆動させる。なお、前記第２状態でマイナスイオンを波及させる場合にはマイナスイオン発生装置４のみを駆動させればよい。
【００３０】
例えば、肩部をマッサージするとともに、タイマー２３によって設定された設定時間後にマイナスイオンの波及状態が第１状態から第２状態に切換わるようにしたい場合について説明する。タイマー２３で時間を設定するとともに、操作部７を操作してマッサージ位置を肩部に設定する。
【００３１】
肩部用空気袋３ａと連通する電磁弁２１ａが連通口と給気口とを連通させるオン状態となるとともに、排気用電磁弁２２が連通口と第１放出口とを連通させるオン状態となる。他の空気袋３ｂ〜３ｅと連通する電磁弁２１ｂ〜２１ｅは全て給気口と排気口とを連通させるオフ状態となる。これにより、肩部のマッサージが開始されるとともにマイナスイオンの波及状態が第１状態となる。
【００３２】
給排気装置５により給気が行われると、肩部用空気袋３ａが膨張し、この膨張した空気袋３ａにより肩部が圧迫される。このとき、電磁弁２１ｂ〜２１ｅはオフ状態であるため、空気袋３ｂ〜３ｅ中に空気がある場合、この空気は排気管２６及び合流排気管２７を介してマイナスイオン発生装置４に流れ込み、この気流によって、針１２の先端付近に漂っているマイナスイオンは放出開口１６から放出されて、前記気流とともに前記使用者の頭部付近に吹き当てられる。
【００３３】
その後、肩部用空気袋３ａと連通する電磁弁２１ａがオフ状態となり、使用者の自重により空気袋３ａ中の空気が排出され、圧迫された肩部が弛緩される。空気袋３ａから排出された空気は、排気管２６及び合流排気管２７を介してマイナスイオン発生装置４に流れ込み、この気流によって、針１２の先端付近に漂っているマイナスイオンは放出開口１６から放出されて、前記気流とともに前記使用者の頭部付近に吹き当てられる。
【００３４】
以上のような空気袋３ａの給排気が繰り返し行われる。このマッサージ機１では、この圧迫・弛緩の繰り返しにより肩部をマッサージできるとともに、マイナスイオンを第１状態で前記使用者の頭部付近に吹き当てることができる。背中部、腰部、尻部、或いは下腿部をマッサージしたい場合も同様である。
【００３５】
また、設定時間が経過すると、制御部６により排気用電磁弁２２が連通口と第２放出口とを連通させるオフ状態に制御される。これにより、マイナスイオンの波及状態が第１状態から第２状態に切換えられ、排気は放出管２８を介してマッサージ機１の外部に放出されるようになる。マイナスイオン発生装置４には排気によって形成された気流が流れないので、マイナスイオン発生装置４で発生したマイナスイオンは自然に漂いながら波及する。
【００３６】
マッサージを終了させたい場合は、操作部７を操作して給排気装置５の駆動を停止させる。マッサージ終了に伴って選択していた空気袋３ａの情報はリセットされて初期設定に戻される。マイナスイオンの発生を停止させたい場合は、操作部７を操作してマイナスイオン発生装置４の駆動を停止させる。
【００３７】
上述のように、このマッサージ機１によれば、給排気装置５が空気袋３ａ〜３ｅに空気を給排気するとともにマイナスイオンを発生させるマイナスイオン発生装置４を流通する気流を形成するものであり、マイナスイオン発生装置４を前記気流によってマイナスイオンをマット本体２上の使用者に向かって拡散させるようにマット本体２に設けている。したがって、この給排気装置５により形成される気流によって、マイナスイオン発生装置４で発生したマイナスイオンを拡散しつつマット本体２上の使用者に向けて波及させることができる。
【００３８】
また、このマッサージ機１では、給排気装置５によりマイナスイオン発生装置４を流通する気流を形成し、この気流によってマイナスイオンをマット本体２上の使用者に向かって拡散させるようにマイナスイオン発生装置４をマット本体２に設けているため、マット本体２に、マイナスイオンを吐出させる小孔を形成したりマイナスイオンを送出するための空気を流通させるチューブを配管したりすることなく、マイナスイオンを拡散させることができる。
【００３９】
さらに、このマッサージ機１によれば、マイナスイオン発生装置４で発生したマイナスイオンを前記使用者に向かって拡散させる気流が給排気装置５の排気によって形成されるため、給排気装置５によって単位時間に空気袋３ａ〜３ｅに供給される空気量、及び、空気袋３ａ〜３ｅ内の圧力を夫々減少させることがない。したがって、マッサージ強度を良好に保ち、しかも、マット本体２に横になっている使用者にマイナスイオンを波及させることができる。
【００４０】
また、このマッサージ機１では、マイナスイオン発生装置４で発生したマイナスイオンを給排気装置５の駆動によって形成される気流（本実施形態では排気によって形成される気流）によってマイナスイオンを前記使用者に向かって拡散させる第１状態と、マイナスイオン発生装置４に気流を流通させることなくマイナスイオンを発生させる第２状態とを切換える制御部６を設けている。したがって、マイナスイオンを拡散させたいときには第１状態を選択し、人体への風の吹き付けや気流音を抑制したい場合には第２状態を選択することができる。
【００４１】
さらに、制御部６が、前記第１状態を設定時間継続させた後に前記第２状態に切換えるタイマー２３を有しているため、人為的に第１状態と第２状態とを切換える必要がなく、第１状態と第２状態との切換えが容易である。また、第１状態として睡眠を取る場合であっても、設定時間後に第２状態となって、人体への風の吹き付けが止まり、気流音が抑制されるので、睡眠を阻害し難い。
【００４２】
なお、本実施形態では、放出開口１６を前記使用者の頭部側に向けてマイナスイオン発生装置４を配置したが、マイナスイオン発生装置４はマイナスイオンが給排気装置５を駆動させることにより形成される気流によってマット本体２上の使用者に向かって拡散させるように設けられていれば、マイナスイオン発生装置４は放出開口１６をどの方向に向けて配置してもよい。
【００４３】
また、本実施形態では、マイナスイオン発生装置４で発生したマイナスイオンを前記使用者に向かって拡散させる気流が給排気装置５の排気により形成されるようにしたが、前記マイナスイオンを前記使用者に向かって拡散させる気流としては給排気装置５の給気の一部を用いて形成される気流を用いてもよい。
【００４４】
本発明は、マット式マッサージ機は、ベッド式マッサージ機にも適用させることができる。また、本発明では、マイナスイオン発生装置を流通する気流を形成する給排気装置は、マット本体の外部に設置するようにしてもよい。
【００４５】
【発明の効果】
本発明によれば、使用者を施療する空気袋に空気を給排気する給排気装置を用いて前記使用者にマイナスイオンを波及させることができるマット式マッサージ機が得られる。
【図面の簡単な説明】
【図１】本発明の一実施形態に係るマット式マッサージ機を示す正面図。
【図２】図１のマット式マッサージ機のマイナスイオン発生装置付近を示す部分斜視図。
【図３】図１のマット式マッサージ機が備えるマイナスイオン発生装置を蓋部を省略した状態でエアー導入管側から示す斜視図。
【図４】図１のマット式マッサージ機が備えるマイナスイオン発生装置を蓋部を省略した状態で上側から示す斜視図。
【図５】図１のマット式マッサージ機が備えるマイナスイオン発生装置を一部切り欠いて上側から示す斜視図。
【図６】図１のマット式マッサージ機の給排気の制御系統を示すブロック図。
【符号の説明】
１…マッサージ機、２…マット本体、３ａ〜３ｅ…空気袋、４…マイナスイオン発生装置、５…給排気装置、６…制御部、２３…タイマー
【図１】
2004215759.tif 000003
【図２】
2004215759.tif 000004
【図３】
2004215759.tif 000005
【図４】
2004215759.tif 000006
【図５】
2004215759.tif 000007
【図６】
2004215759.tif 000008